(57)【要約】  【課題】部品点数を極力抑え、簡素な構造を通じて、背の後傾位置によらず肘に適切な位置と使用角度を確保することを目的とする。【解決手段】背４を支持体７に後傾可能に支持させるとともに、背４に肘１００を回転可能に付帯させ、この肘１００と支持体７との間にカム２０１ｘ及びフォロア２０２ｘからなるガイド機構７を構成して、背４の後傾に伴い肘の回転軸１０１が支持体７に対して相対移動した際に、フォロア２０２ｘをカム２０１ｘに係り合わせることによって背４の後傾位置によらず肘の使用角度を略一定に保持し得るように当該カム２０１ｘに所要の形状を付与することとした。  【選択図】図３
2008161405.tif 000002
【特許請求の範囲】
【請求項１】
背を支持体に傾動可能に支持させるとともに、前記背に肘を回転可能に付帯させ、この肘と前記支持体との間にカム及びフォロアからなるガイド機構を構成して、背の傾動に伴い肘の回転軸が支持体に対して相対移動した際に、フォロアをカムに係り合わせることによって背の傾動位置によらず肘の使用角度を略一定に保持し得るように当該カムに所要の形状を付与してなることを特徴とする椅子。
【請求項２】
カムが肘または支持体の何れか一方に付帯させたガイド部材の縁部に設定され、フォロアが他方に固定したものであって、背の傾動に伴いフォロアがガイド部材に対して相対移動する軌跡に沿って当該ガイド部材のカムの形状を規定している請求項１記載の椅子。
【請求項３】
カムとフォロアは係り合う方向と反対方向に非拘束状態にあり、離反しながら肘の跳ね上げ動作を許容するものである請求項１又は２記載の椅子。
【請求項４】
カムが肘または支持体の何れか一方に付帯させたガイド部材に形成してなる長孔状又は溝状のものであり、フォロアが他方に固定されて前記長孔又は溝に挿し通されて長手方向に沿って相対移動可能なピン状のものである請求項１記載の椅子。
【請求項５】
カムを有するガイド部材を肘の回転軸方向に沿った所定位置に一体回転可能に設け、フォロアを支持体側において前記ガイド部材のカムに対応する部位に設けている請求項２〜４記載の椅子。
【請求項６】
ガイド部材が回転軸に直交する面板部を有する板状のものであり、その面板部の端面若しくは断面の一部にカムを設定して、その面板部と直交する方向から当該カムにフォロアを係り合わせている請求項５記載の椅子。
【請求項７】
背が支持体に対して上端近傍部を上下移動可能に係り合わせた状態で下端側を前後に揺動させることにより背の後傾及び座の前動によるリクライニング動作を実現するものであり、その通常位置からリクライニング動作に伴って肘の回転軸が前下方へ移動する際、カムとフォロアからなるガイド機構によって肘の使用角度を略一定に保ちつつ、肘全体を前下方へ移動させるようにしている請求項５又は６記載の椅子。
【請求項８】
支持体が、背及び座を支持した状態で固定背部に対して昇降駆動される状態と、固定背部の降下端に保持されて背の後傾及び座の前動を支持する状態とをとり得るものであり、昇降駆動の間は背の角度を一定に保ち、肘と支持体との相対位置を変化させないように構成している請求項７記載の椅子。
【請求項９】
背を支持体に傾動可能に支持させるとともに、前記背に肘を回転可能に付帯させ、この肘と前記支持体との間にカム及びフォロアからなるガイド機構を構成して、背の傾動に伴い肘の回転軸が支持体に対して相対移動した際に、フォロアをカムに係り合わせることによって背の傾動位置に応じて肘の使用角度を予め定めた所定角度に保持し得るように当該カムに所要の形状を付与してなることを特徴とする椅子。
【発明の詳細な説明】
【技術分野】
【０００１】
本発明は、背が傾動する椅子に係り、特に簡素な構成で背の傾動位置によらず肘に適切な使用角度を確保できるようにした椅子に関するものである。
【背景技術】
【０００２】
背が支持体に傾動可能に支持される椅子において、肘を設ける場合、当該肘を支持体に固定する態様と背に固定する態様とが一般的な構成として考えられる。しかし、前者のように肘を支持体に固定すると、背が傾動しても肘が取り残されるので、適切な使用領域が得られないこととなり、一方後者のように肘を背に固定すると、背の傾動に伴って肘の角度も変化して、適切な使用角度が損なわれることとなる。
【０００３】
このような不具合を解消するものとして、例えば特許文献１、２に示すもの等が提案されている。
【０００４】
特許文献１のものは、座に平行リンクを介して肘を取り付け、平行リンクの一部をさらにリンクを介し背に接続して、背の傾動に連動して平行リンクが変形し、肘が追従しつつ高さが低くなるように構成されている。
【０００５】
一方、特許文献２のものは、肘を背に回転可能に支持するとともにリンクを背座境界部に回転可能に配置し、その肘の回転軸から変位した部位とリンクの回転軸から変位した部位とをロッドで連結して、前記背座境界部においてリンクの回転位相を変化させ得る位置に設けた操作ハンドルを操作することによって、リンクの微小回転を引き起こし、これによりロッドを介して肘を、背の傾動に見合うように角度調整することができるようにしている。
【特許文献１】特許第３７７７９５１号公報
【特許文献２】実用新案登録第２５５４９２６号公報
【発明の開示】
【発明が解決しようとする課題】
【０００６】
しかしながら、上記特許文献１のものは、平行リンクが座の側方に常設されるため、部品点数が多く構造が複雑となる上に、不必要な時にも肘を退避させることができないという不具合がある。
【０００７】
一方、特許文献２のものも、リンクやロッド、ハンドルが背の側方に配置されるため、やはり部品点数が多く構造が複雑となる上に、不必要な時にも肘を退避させることができないという不具合がある。しかも、このものはハンドル操作が必要なため、取扱いにも逐一不便なものである。
【０００８】
本発明は、このような課題に着目してなされたものであって、部品点数を極力抑え、簡素な構造を通じて、背の傾動位置によらず肘に適切な位置と使用角度を確保するとともに、必要に応じて肘の跳ね上げ機能も簡単に付与できるようにした有用な椅子を新たに提供することを目的としている。
【課題を解決するための手段】
【０００９】
本発明は、かかる目的を達成するために、次のような手段を講じたものである。
【００１０】
すなわち、本発明の椅子は、背を支持体に傾動可能に支持させるとともに、前記背に肘を回転可能に付帯させ、この肘と前記支持体との間にカム及びフォロアからなるガイド機構を構成して、背の傾動に伴い肘の回転軸が支持体に対して相対移動した際に、フォロアをカムに係り合わせることによって背の傾動位置によらず肘の使用角度を略一定に保持し得るように当該カムに所要の形状を付与してなることを特徴とする。
【００１１】
このように構成すると、肘は背に付帯されるので、傾動に伴って背に肘が追従する上に、背の傾動位置が変わっても、カムとフォロアを係り合わせた状態にすればガイド機構が肘の使用角度を略一定に保つので、肘を適切に利用できる状態を容易に得ることができる。しかも、肘の使用角度を略一定に保持するための構成がカム及びフォロアを利用した簡素な機構で足りるので、背の側方に複雑な機構が存することがなく、肘からかけ離れた位置にて別異のハンドル操作を行うような操作上の不便さも解消することができる。
【００１２】
簡素な構成としては、カムが肘または支持体の何れか一方に付帯させたガイド部材の縁部に設定され、フォロアが他方に固定したものであって、背の傾動に伴いフォロアがガイド部材に対して相対移動する軌跡に沿って当該ガイド部材のカムの形状を規定しているものが挙げられる。
【００１３】
肘が常設されることによる不具合を回避するためには、カムとフォロアを係り合う方向と反対方向に非拘束な状態とし、離反しながら肘の跳ね上げ動作を許容するようにしておくことが望ましい。
【００１４】
肘の安定した使用状態を優先する場合には、カムが肘または支持体の何れか一方に付帯させたガイド部材に形成してなる長孔状又は溝状のものであり、フォロアが他方に固定されて前記長孔又は溝に挿し通されて長手方向に沿って相対移動可能なピン状のものであることが好ましい。
【００１５】
ガイド機構の組み込みの便を向上させるためには、カムを有するガイド部材を肘の回転軸方向に沿った所定位置に一体回転可能に設け、フォロアを支持体側において前記ガイド部材のカムに対応する部位に設けておくことが好都合である。
【００１６】
特に、ガイド機構をコンパクトに実現する上では、ガイド部材が回転軸に直交する面板部を有する板状のものであり、その面板部の端面若しくは断面の一部にカムを設定して、その面板部と直交する方向から当該カムにフォロアを係り合わせていることが好適となる。
【００１７】
椅子が、背が支持体に対して上端近傍部を上下移動可能に係り合わせた状態で下端側を前後に揺動させることにより背の後傾及び座の前動によるリクライニング動作を実現するものである場合に、そのリクライニング時の安息状態を実効あらしめるためには、その通常位置からリクライニング動作に伴って肘の回転軸が前下方へ移動する際、カムとフォロアからなるガイド機構によって肘の使用角度を略一定に保ちつつ、肘全体を前下方へ移動させるようにしておくことが望ましい。
【００１８】
支持体が、背及び座を支持した状態で固定背部に対して昇降駆動される状態と、固定背部の降下端に保持されて背の後傾及び座の前動を支持する状態とをとり得るものである場合に、着座者の立ち上がりを適正に補助するためには、昇降駆動の間は背の角度を一定に保ち、肘と支持体との相対位置を変化させないように構成しておくことが望ましい。
【００１９】
以上を踏まえ、肘の角度が背の傾動位置に応じて変化する事が望まれる場合には、背を支持体に傾動可能に支持させるとともに、前記背に肘を回転可能に付帯させ、この肘と前記支持体との間にカム及びフォロアからなるガイド機構を構成して、背の傾動に伴い肘の回転軸が支持体に対して相対移動した際に、フォロアをカムに係り合わせることによって背の傾動位置に応じて肘の使用角度を予め定めた所定角度に保持し得るように当該カムに所要の形状を付与しておけばよい。
【発明の効果】
【００２０】
本発明の椅子は、以上説明した構成であるから、肘を背に付帯させて背の傾動動作に肘を追従させ、かつカム及びフォロアからなるガイド機構によって背の傾きによらず肘を適切な角度に維持することができるので、背をリクライニングあるいはロッキングさせても肘を効果的に利用できる状態を有効に確保することができる。しかも、そのガイド機構も、カム及びフォロアの係り合いを利用したものであるから、少ない部品点数で極めて簡素かつ有効に本発明を実現することが可能となる。
【発明を実施するための最良の形態】
【００２１】
以下、本発明の一実施形態を、図面を参照して説明する。
【００２２】
この実施形態の椅子は、図１〜図４に示すように、固定背部１と、この固定背部１に沿って昇降可能な昇降部材２とを具備し、この昇降部材２に座３、背４及び肘１００を支持させたものである。固定背部１には作動体５１を有する単一のアクチュエータ５が取り付けてあり、その作動体５１には剛体６を介して背４及び座３が関連づけられて、背４及び座３の昇降動作とリクライニング動作とを前記アクチュエータ５によって実現するようにしている。そして、その間、肘１００と昇降部材２との間に設けたガイド機構２００によって、肘１００の使用角度を略一定に保ち得るようにしている。
【００２３】
具体的に説明すると、固定背部１は、床等に左右に対をなして配置されるベース部１１と、これらのベース部１１の間を接続する接続部１２と、この接続部１２より立ち上がる門方の基枠１３とを具備し、この基枠１３の上部１３ａと接続部１２との間にアクチュエータ５を構成するリニアガイド５２を配置して、このリニアガイド５２に沿って作動体５１が昇降駆動されるようにしている。作動体５１の側面には剛体６の上端部を取り付けるための取付穴５１ａが設けてある。図１及び図２において符合５３で示すものは作動体５１を駆動するモータである。
【００２４】
昇降部材２は、固定背部１に沿って昇降可能な支持体７と、支持体７から前方へ突出する案内部８と、座３を取り付けた状態で前記案内部８に沿って前後スライド可能な移動体９とを備える。
【００２５】
支持体７は、固定背部１の基枠１３に対応する門形の背受枠からなるもので、左右の側枠部７１，７１間における所定高さ位置に横架材７２を架け設している。また、上枠部７３には、水平方向の軸孔７４ａを有するブラケット７４が取り付けてある。
【００２６】
案内部８は、固定背部１のベース部１１に沿って左右の側枠部８１を配置した座受枠からなるもので、この案内部８の座受枠は前記支持体７の背受枠とともにフレーム部材により一体的に構成されており、案内部８の左右の側枠部８１の内面に長手方向に沿ってレール溝８２を設け、このレール溝８２の後端側に後述する移動体９の脱落を防止するストッパー８３が設けられるようにしている。
【００２７】
移動体９は、枠体状をなし、左右の側枠部９１の外面に水平軸回りにローラ９２を取り付けてなるもので、後枠部９３には水平方向の軸孔９４ａ、９４ｂを有するブラケット９４が後方に突出させた状態で取り付けてある。
【００２８】
一方、背４は背面上部における左右両側縁近傍にブラケット４１を後向きに突出させて設け、このブラケット４１の側面に長孔４１ａを開口させるとともに、背面下部に部分チャネル状のブラケット４２を後向きに取り付け、このブラケット４２の下端に水平方向の軸孔４２ａを開口させている。
【００２９】
剛体６は、上端部に水平方向の軸孔６ａを有し、この軸孔６ａを前記作動体５１の取付穴５１ａに水平軸ｖ１（図６〜図８参照）を介して回り得るように取り付けられるもので、上端部から屈曲して下方に延びる逆Ｌ字状をなし、その中間部に後方に角状に突出する突出部６１を有し、下端部に水平方向の軸孔６ｂを開口させている。
【００３０】
そして、図５に示すように、案内部８のレール溝８２にその開口端から移動体９のローラ９２を挿入して当該移動体９を案内部８にスライド可能に支持させ、前述したストッパー８３（図３参照）により移動体９が案内部８から脱落することを防止するとともに、背４のブラケット４１の長孔４１ａ及び支持体２のブラケット７４の軸孔７４ａに軸ｖ２（図６〜図８参照）を挿し通して背４の上部を支持体２の上部に揺動可能に接続し、背４のブラケット４２の軸孔４２ａと移動体９のブラケット９４の軸孔９４ａ、剛体６の下端部の軸孔６ｂと移動体９のブラケット９４の軸孔９４ｂをそれぞれ合致させて、これらに軸ｖ３１、ｖ３２を挿し通すことにより、背４の下部及び移動体９の後部を剛体６の下端部に連動して作動するように接続している。座３は上記作業の適宜の段階で移動体９の上面に固定する。
【００３１】
以上のように組立てられる本実施形態の椅子は、図７の状態からアクチュエータ５の作動体５１がリニアガイド５２に沿って上昇すると、剛体６の中間部に設けた突出部６１の上向面が支持体７の横架材７２に係り合って下方からこれを持ち上げると同時に、剛体６の下端部が軸ｖ３２を介して移動体９を持ち上げ、この移動体９は案内部８にスライド可能に係り合っているため案内部８も持ち上げられ、結果的に昇降部材２全体が背４及び座３とともに固定背部１に沿って図７→図６に示すように上方に駆動される。
【００３２】
一方、図６→図７のようにアクチュエータ５の作動体５１が降下すると、昇降部材２全体が背４及び座３とともに降下し、作動体５１が所定位置まで降下した際に昇降部材２の一部である案内部８に設けた図示しない移動体が固定背部１の接続部１２に予め設けた別異のストッパ１２ａ（図１参照）に突き当たってそれ以上の降下が禁止される。そして、昇降部材２が降下を停止した以降、引き続き作動体５１が降下を続けると、剛体６に上端部を中心とした側面視右回りのモーメントが生じるので、これにより剛体６は上端部を降下させつつ下端部を前方に揺動させる動作に切り替わって、移動体９の後部を背４の下部とともに前方に押し出す方向に移動させ、このとき中間部の突出部６１は支持体７の横架材７２から離反していく。そして、結果的に図７→図８のように座３が前動し、背４が上部を長孔４１ａ及び軸ｖ２を介して支持体７に係り合ったまま下部が前動することにより全体として後傾して、リクライニング姿勢をとることになる。
【００３３】
さらに、図８→図７のように作動体５１が再び上昇すると、リクライニング姿勢から通常の姿勢まで座３が後動しかつ背４が起き上がった段階で再び図７→図６のように剛体６を介して背４及び座３が持ち上げられ、上昇動作が始まることとなる。
【００３４】
そして、本実施形態は、上記の何れの作動位置においても肘１００の使用角度を略一致に保つべく、図３、図４、図９及び図１０等に示すように、支持体７に後傾可能に支持された背４に回転軸１０１を介して肘１００を取り付けるとともに、肘１００と支持体７との間にカム２０１ｘ及びフォロア２０２ｘからなるガイド機構２００を構成している。そして、図７→図８、図９（ａ）→図９（ｂ）のように背４が後傾するに伴い肘１００が支持体７に対して移動した場合に、フォロア２０２ｘがカム２０１ｘに予め付与した形状に沿って相対移動した先で添設することにより、肘１００の回転軸１０１回りの回転をフォロア２０２ｘにより規制して、肘１００の使用角度を略一定に保持し得るようにしている。
【００３５】
具体的に説明すると、図３、図４、図６、図９、図１０等に示すように、背４に設けた前記ブラケット４１の下端側に軸受部４１ｘを介して回転軸１０１を軸支させ、この回転軸１０１の外方端に肘１００を一体回転可能に取り付けてなるもので、回転軸１０１の軸方向に沿った内方側の所定位置、つまり本実施形態では回転軸１０１の内方に、当該回転軸１０１に直交する面板部２０１ａを有する板状のガイド部材２０１を一体回転可能に取り付けて、その面板部２０１ａの上縁部を前記カム（カム面）２０１ｘとして設定している。一方、支持体７の側枠部７１の前面における前記カム２０１ｘの対応位置には、当該側枠部７１に取り付けたチャネル状の取付部材７５を介して水平方向に軸状のフォロア２０２ｘが回転軸１０１に平行に突出させてあり、このフォロア２０２ｘの下縁に前記ガイド部材２０１のカム２０１ｘを添設させるようにしている。
【００３６】
すなわち、肘１００の自重がカム２０１ｘに作用する状況の下で、肘１００が回転軸１０１とともに例えば図８において想像線の位置から実線の位置まで左回りに回転すると、所定位置でカム２０１ｘがフォロア２０２ｘに係り合ってそれ以上の回転軸１０１の回転を規制する関係にあり、このとき肘１００が略水平な使用角度に保持されるようにしている。勿論、回転軸１０１に若干の抵抗が存する場合であっても、肘１００に使用者の腕の荷重が加わればカム２０１ｘがフォロア２０２ｘに係り合う状態は自然と確保される。そして、これらのカム２０１ｘ及びフォロア２０２ｘはその係り合う方向と反対方向に対しては非拘束状態にあり、カム２０１ｘがフォロア２０２ｘから離反しながら同図中実線位置より想像線の位置を経てさらに上方へ肘１００の跳ね上げ動作を許容するものとなっている。
【００３７】
このようなカム２０１ｘの形状を規定するにあたり、背４の後傾動作とフォロア２０２ｘの位置関係に着目すると、図７→図８、図９（ａ）→図９（ｂ）のように背４が後傾するに伴い回転軸１０１が支持体７を基準にして前下方に移動すると、背４とともに移動する慣性系から見たとき、当初カム２０１ｘに接触していたフォロア２０２ｘが、初期位置から図１１（ａ）に矢印で示すように次第に後上方へ上に凸となるように緩やかに湾曲しながら離間することとなる。したがって、このフォロア２０２ｘの移動軌跡に合致するように同図（ｂ）に示すごとくガイド部材２０１上のカム２０１ｘの形状を後上方に向かって上に凸となるように緩やかに湾曲する形状にすれば、フォロア２０２ｘとカム２０１ｘが接触している限り、同図（ｃ）→（ｄ）に示すように、移動先の何れの位置においても肘１００の使用角度は略一定（略水平)に保たれるものとなる。そして、背座が図７、図９（ａ）の通常位置から図８、図９（ｂ）のリクライニング位置に移行することによって、肘１００は全体的に前方に迫り出しつつやや沈んだ位置に保持されることとなる。
【００３８】
また、この実施形態の椅子は、支持体７が背４及び座３を支持した状態で固定背部１に対して図７に示す降下位置と図６に示す上昇位置との間で昇降駆動されるのは前述したところであるが、かかる昇降動作と、カム２０１ｘ及びフォロア２０２ｘからなるガイド機構２００との間は縁が切れており、かつ昇降動作の間は回転軸１０１と支持体７との相対関係は変わらないため、昇降動作の間、カム２０１ｘをフォロア２０２ｘに係り合わせている限りにおいては肘１００の使用角度は略一定に保たれることとなる。
【００３９】
以上のように、この実施形態の椅子は、背４を支持体７に傾動可能に支持させるとともに、背４に肘１００を回転可能に付帯させ、この肘１００と支持体７との間にカム２０１ｘ及びフォロア２０２ｘからなるガイド機構７を構成して、背４の傾動に伴い肘１００の回転軸１０１が支持体７に対して相対移動した際に、フォロア２０２ｘをカム２０１ｘに係り合わせることによって背４の傾動位置によらず肘１００の使用角度を略一定に保持し得るように当該カム２０１ｘに所要の形状を付与したものである。
【００４０】
このように構成すると、肘１００は背４に付帯されるので、傾動に伴って背４に肘１００が追従する上に、背４の傾動位置が変わっても、カム２０１ｘとフォロア２０２ｘを係り合わせた状態にすればガイド機構７が肘１００の使用角度を略一定に保つので、肘１００を適切に利用できる状態を容易に得ることができる。しかも、肘１００の使用角度を略一定に保持するための構成がカム２０１ｘ及びフォロア２０２ｘを利用した簡素な機構で足りるので、背４の側方に複雑な機構が存することがなく、肘１００からかけ離れた位置にて別異のハンドル操作を行うような操作上の不便さも解消することができる。
【００４１】
具体的には、カム２０１ｘが肘１００に付帯させたガイド部材２０１の縁部に設定され、フォロア２０２ｘが支持体７に固定したものであって、背４の傾動に伴いフォロア２０２ｘがガイド部材２０１に対して相対移動する軌跡に沿って、ガイド部材２０１のカム２０１ｘの形状を規定している。このように、ガイド部材２０１の縁部を利用すれば、切削や成形等によってカム２０１ｘの形状を自在に設定することができる。そのフォロア２０２ｘもピン状の形態のものにしているので、ガイド部材２０１の縁部に設定されたカム２０１ｘに沿ってスムーズに摺動させることができ、跳ね上げのためにカム２０１ｘをフォロア２０２ｘに係り合う側と反対側に向かって適切に解放しておくことも可能となる。
【００４２】
特に、カム２０１ｘとフォロア２０２ｘは肘１００に掛かる荷重によって互いに係り合う関係にあるため、肘１００を載せるだけで適切なガイド機能が奏され、簡素な構造を通じて別段の操作を不要にすることができる。
【００４３】
この場合、カム２０１ｘとフォロア２０２ｘは係り合う方向と反対方向に非拘束な状態にあり、離反しながら肘１００の跳ね上げ動作を許容するものであるため、肘１００を利用する際には荷重を掛ければ肘１００がカム２０１ｘとフォロア２０２ｘが突き当る位置に保持されて使用角度を略一定に保たれ、肘１００が邪魔になる場合、例えば上昇した座３から体を回転させて椅子から降りる場合などには、跳ね上げることによって邪魔にならない位置に有効に退避させることができる。
【００４４】
また、構造的には、カム２０１ｘを有するガイド部材２０１を肘１００の回転軸１０１方向に沿った所定位置に一体回転可能に設け、フォロア２０２ｘを支持体７側において前記ガイド部材２０１のカム２０１ｘに対応する部位に設けているため、回転軸１０１上、椅子の外観に極力現われず椅子の周辺機構とも干渉しない位置を選択して、当該回転軸１０１にガイド部材２０１を取り付け、支持体７の対応部位にフォロア２０２ｘを固定して、ガイド機構７を有効に構成することができる。
【００４５】
さらに、ガイド部材２０１に回転軸１０１に直交する面板部２０１ａを有する板状のものを採用し、その面板部２０１ａの端面である上縁部にカム２０１ｘを設定して、その面板部２０１ａと直交する方向から当該カム２０１ｘにフォロア２０２ｘを係り合わせているので、ガイド部材２０１の薄肉化が図れ、フォロア２０２ｘも面板部２０１ａの厚み方向に係り合うものであればさほど大きなものは必要なくなるので、背４と支持体７の間の限られたスペースへの組み込みが一層容易になる。しかも、肘１００の荷重は面板部２０１ａに肉厚方向に作用するので、簡素であっても部材強度を利用して肘１００の上載荷重を適切に支持することができる。
【００４６】
また、この椅子は叙述したごとく、背４が支持体７に対して上端近傍部を上下移動可能に係り合わせた状態で下端側を前後に揺動させることにより背４の後傾及び座３の前動によるリクライニング動作を実現するものであり、その通常位置からリクライニング動作に伴って肘１００の回転軸１０１が前下方へ移動する際、カム２０１ｘとフォロア２０２ｘからなるガイド機構７によって肘１００の使用角度を略一定に保ちつつ、肘１００全体を前下方へ移動させるようにしており、リクライニング動作に従って肘１００が使用角度をほぼ一定に保ったままで前方に迫り出し、かつ高さが低くなるため、着座者の安息姿勢に適した肘１００の状態を実現することができる。
【００４７】
さらにまた、この椅子は叙述したごとく、支持体７が、背４及び座３を支持した状態で固定背部１に対して昇降駆動される状態と、固定背部１の降下端に保持されて背４の後傾及び座３の前動を支持する状態とをとり得るものであり、昇降駆動の間は背４の角度を一定に保ち、肘１００と支持体７との相対位置を変化させないように構成しており、背４及び座３の高さが変わっても、肘１００は支持体７との相対位置を変えずに追従して昇降するので、使用角度が一定に保たれ、着座者の立ち上がりを補助する機能を適正に担保することができる。
【００４８】
なお、各部の具体的な構成は、上述した実施形態のみに限定されるものではない。
【００４９】
例えば、カムをガイド部材の一部を打ち抜く等により形成した長孔状又は溝状のものとし、フォロアをそのカムに挿し通されるピン状のものにしてもよい。このように構成すると、肘の跳ね上げ効果は得られないものの、肘の使用状態を安定確実なものにすることができるので、体が思うように動かない者には肘を拠りどころにした安定な着座環境を与えることができる。
【００５０】
また、上記実施形態とは逆の構成として、支持体側にカムを設定したガイド部材を固定し、背側にフォロアを設けて、このフォロアをガイド部材のカムに沿って移動させるように構成しても、上記実施形態に準じた作用効果が奏される。
【００５１】
さらに、ガイド部材は必ずしも上記実施形態のような面板部を有する板状のものに限定されず、組み込み位置や周辺部材等との関係で種々の形状のものを採用することができる。
【００５２】
さらにまた、本発明の適用対象は上記のようなリクライニング動作を行う座椅子タイプの椅子に限らず、支持体が静止したままで背が傾動するような椅子であれば、例えばロッキング動作を行うタイプの椅子等においても、支持体と背の間に本発明のガイド機構によりサポートされる肘を構成して同様の作用効果を奏することができる。  
【００５３】
以上を踏まえ、肘の角度が背の傾動位置に応じて変化する事の方が好ましい場合には、背を支持体に傾動可能に支持させるとともに、前記背に肘を回転可能に付帯させ、この肘と前記支持体との間にカム及びフォロアからなるガイド機構を構成して、背の傾動に伴い肘の回転軸が支持体に対して相対移動した際に、フォロアをカムに係り合わせることによって背の傾動位置に応じて肘の使用角度を予め定めた所定角度に保持し得るように当該カムに所要の形状を付与することにより、目的、用途に応じた適切な肘の使い勝手を得ることができる。この場合、上記実施形態を例に挙げれば、ガイド部材２０１のカム２０１ｘの形状を変えるだけで所望の肘の動作を容易に実現することが可能となる。
【００５４】
その他の構成も、本発明の趣旨を逸脱しない範囲で種々変形が可能である。
【図面の簡単な説明】
【００５５】
【図１】本発明の一実施形態に係る椅子を示す前方斜視図。
【図２】同実施形態の後方斜視図。
【図３】同実施形態の分解斜視図。
【図４】同実施形態の分解側面図。
【図５】同実施形態の部分平面図。
【図６】同実施形態の作動説明図。
【図７】同実施形態の作動説明図。
【図８】同実施形態の作動説明図。
【図９】同実施形態におけるガイド機構部分を示す部分斜視図。
【図１０】同平面図。
【図１１】同ガイド機構を構成するカムとフォロアの関係を示す図。
【符号の説明】
【００５６】
１…固定背部
４…背
７…支持体
１００…肘
１０１…回転軸
２００…ガイド機構
２０１…ガイド部材
２０１ａ…面板部
２０１ｘ…カム
２０２ｘ…フォロア
【図１】
2008161405.tif 000003
【図２】
2008161405.tif 000004
【図３】
2008161405.tif 000005
【図４】
2008161405.tif 000006
【図５】
2008161405.tif 000007
【図６】
2008161405.tif 000008
【図７】
2008161405.tif 000009
【図８】
2008161405.tif 000010
【図９】
2008161405.tif 000011
【図１０】
2008161405.tif 000012
【図１１】
2008161405.tif 000013